(57)【要約】【課題】ＬＥＤ列の左右両端に配置した駆動回路構造により、協働で同一のＬＥＤ列を駆動させることにより、管体の管径を小さくすることができる直管形ＬＥＤランプ用のＬＥＤ搭載基板の配線構造を提供する。【解決手段】直管形ＬＥＤランプ用のＬＥＤ搭載基板の配線構造は、管体２１と、管体２１内部に配置された少なくとも１つのＬＥＤ列２３と、管体２１内部に配置された少なくとも１つの左側駆動回路構造２２１と、管体２１内部に配置された少なくとも１つの右側駆動回路構造２２２とを備える。左側駆動回路構造２２１と右側駆動回路構造２２２とは、ＬＥＤ列２３の左右両端に配置される。ＬＥＤ列２３のＬＥＤ搭載基板上の任意の側面には、左側駆動回路構造２２１と右側駆動回路構造２２２とを接続する少なくとも１つの伝送線２４が設けられ、左側駆動回路構造２２１及び右側駆動回路構造２２２により同一のＬＥＤ列２３を協働で駆動させる。【選択図】図３
0003178898.tif 000002
【実用新案登録請求の範囲】
【請求項１】
管体と、前記管体内部に配置された少なくとも１つのＬＥＤ列と、前記管体内部に配置された少なくとも１つの左側駆動回路構造と、前記管体内部に配置された少なくとも１つの右側駆動回路構造と、を備えた直管形ＬＥＤランプ用のＬＥＤ搭載基板の配線構造であって、
前記左側駆動回路構造と前記右側駆動回路構造とは、前記ＬＥＤ列の左右両端に配置され、
前記ＬＥＤ列のＬＥＤ搭載基板上の任意の側面には、前記左側駆動回路構造と前記右側駆動回路構造とを接続する少なくとも１つの伝送線が設けられ、
前記左側駆動回路構造及び前記右側駆動回路構造により同一の前記ＬＥＤ列を協働で駆動させることを特徴とする、直管形ＬＥＤランプ用のＬＥＤ搭載基板の配線構造。
【請求項２】
前記ＬＥＤ列上には、複数のＬＥＤが設けられることを特徴とする請求項１に記載の直管形ＬＥＤランプ用のＬＥＤ搭載基板の配線構造。
【請求項３】
前記管体は直管状であることを特徴とする請求項１に記載の直管形ＬＥＤランプ用のＬＥＤ搭載基板の配線構造。
【請求項４】
前記左側駆動回路構造と前記右側駆動回路構造とは、前記伝送線を介して接続されて完全な駆動回路構造が形成され、前記左側駆動回路構造及び前記右側駆動回路構造が前記ＬＥＤ列に接続され、前記ＬＥＤ列を両端駆動して発光させることを特徴とする請求項１に記載の直管形ＬＥＤランプ用のＬＥＤ搭載基板の配線構造。
【考案の詳細な説明】
【技術分野】
【０００１】
本考案は、直管形ＬＥＤランプ用のＬＥＤ搭載基板の配線構造に関し、特に、ＬＥＤ列の左右両端に設けられた駆動回路構造により協働で１つのＬＥＤ列を駆動させることができるＬＥＤ搭載基板の配線構造に関する。
【背景技術】
【０００２】
ＬＥＤ（発光ダイオード）は、消費電力が少なく、使用寿命が長く、体積が小さく、反応速度が速いため、様々な照明として広く利用されている。また、蛍光灯を代替する直管形ＬＥＤランプがメーカにより開発されている。
従来の直管形ＬＥＤランプは、長尺状の管体内に２つのＬＥＤ列が左右に配置され、管体内部の両端には、各ＬＥＤ列と接続された駆動回路構造がそれぞれ配置され、両端で駆動させて各ＬＥＤ列を発光させる。
【０００３】
両端で駆動する構造以外に、１つのＬＥＤ列を一方の端部だけで駆動させて発光させる構造がメーカにより開発されている。
例えば、図１及び図２に示すように、管体の管径を短くしてコストを減らすために、直管形ＬＥＤランプ１の駆動回路構造１２を２つに分割し、管体１１内部の左右両端に配置した構造の開発が試みられているが、ＬＥＤ１３１を有するＬＥＤ列１３を駆動するには、２つに分割された駆動回路構造１２１，１２２を互いに接続させなければならない。
そのため、少なくとも１つの伝送線１４を介し、２つに分割された駆動回路構造１２１，１２２間を接続する必要がある。２つに分割された駆動回路構造１２１，１２２間を接続する際、伝送線１４をＬＥＤ列１３の上方で跨設する必要がある。この構成により、２つの分割された駆動回路構造１２１，１２２が管体１１内を占有する空間を小さくし、管体１１の管径を小さくすることができる。
【０００４】
上述の構造により、管体１１の管径を小さくすることができるが、伝送線１４をＬＥＤ列１３の上方に跨設する必要があるため、信号を伝送する際、ＥＭＩ（電磁干渉）が発生し、駆動回路構造１２１，１２２又はＬＥＤ列１３に悪影響を与えたり、動作性能を下げたりすることがある。
上述したＥＭＩの問題以外には、２つに分割された駆動回路構造１２１，１２２の間に伝送線１４を跨設するために、管体１１内に十分な空間を設ける必要がある。このことから分かるように、管体の管径を小さくするには限界があり、伝送線１４を収容する空間を確保するため、管体１１の管径を小さくすることによって製造コストを減らすという目的を達成することができない。
【０００５】
そこで、伝送線をＬＥＤ列に沿って貼設して配線することができれば、伝送線の跨設によりＥＭＩが発生することを防ぐことができる上、管体内の占有空間を小さくし、直管形ＬＥＤランプを小型化することができる。
【考案の概要】
【考案が解決しようとする課題】
【０００６】
本考案の目的は、ＬＥＤ列の左右両端に配置した駆動回路構造により、協働で１つのＬＥＤ列を駆動させることにより、管体の管径を小さくすることができる直管形ＬＥＤランプ用のＬＥＤ搭載基板の配線構造を提供することにある。
【課題を解決するための手段】
【０００７】
上記課題を解決するために、管体と、前記管体内部に配置された少なくとも１つのＬＥＤ列と、前記管体内部に配置された少なくとも１つの左側駆動回路構造と、前記管体内部に配置された少なくとも１つの右側駆動回路構造と、を備えた直管形ＬＥＤランプ用のＬＥＤ搭載基板の配線構造であって、前記左側駆動回路構造と前記右側駆動回路構造とは、前記ＬＥＤ列の左右両端に配置され、前記ＬＥＤ列のＬＥＤ搭載基板上の任意の側面には、前記左側駆動回路構造と前記右側駆動回路構造とを接続する少なくとも１つの伝送線が設けられ、前記左側駆動回路構造及び前記右側駆動回路構造により同一の前記ＬＥＤ列を協働で駆動させることを特徴とする直管形ＬＥＤランプ用のＬＥＤ搭載基板の配線構造を提供する。
【０００８】
また、前記ＬＥＤ列上には、複数のＬＥＤが設けられることが好ましい。
【０００９】
また、前記管体は直管状であることが好ましい。
【００１０】
また、前記左側駆動回路構造と前記右側駆動回路構造とは、前記伝送線を介して接続されて完全な駆動回路構造が形成され、前記左側駆動回路構造及び前記右側駆動回路構造が前記ＬＥＤ列に接続され、前記ＬＥＤ列を両端駆動して発光させることが好ましい。
【考案の効果】
【００１１】
本考案の直管形ＬＥＤランプ用のＬＥＤ搭載基板の配線構造は、以下（１）及び（２）の効果を有する。
（１）ＬＥＤ列の左右両端に設けた駆動回路構造により、協働で１つのＬＥＤ列を駆動させることができる上、ＬＥＤ列に貼設されて配線された伝送線により、ＬＥＤ列の左右両端に設けた駆動回路構造が接続されるため、直管形ＬＥＤランプを小型化することができる。
（２）ＬＥＤ列上に伝送線を跨設させることにより、ＥＭＩが発生することを防ぐことができる上、ＬＥＤ列上に伝送線を跨設させることにより管体の収容空間を大きくすることができるため、直管形ＬＥＤランプの製造コストを減らすことができる。
【図面の簡単な説明】
【００１２】
【図１】従来の直管形ＬＥＤランプを示す斜視図である。
【図２】従来の直管形ＬＥＤランプを示す側面図である。
【図３】本考案の一実施形態に係る直管形ＬＥＤランプ用のＬＥＤ搭載基板の配線構造を示す斜視図である。
【図４】本考案の一実施形態に係る直管形ＬＥＤランプ用のＬＥＤ搭載基板の配線構造を示す側面図である。
【考案を実施するための形態】
【００１３】
図３及び図４を参照する。
図３及び図４に示すように、直管形ＬＥＤランプ２の管体２１内部には、少なくとも１つのＬＥＤ列２３と、左側駆動回路構造２２１と、右側駆動回路構造２２２と、が配置される。
左側駆動回路構造２２１と右側駆動回路構造２２２とは、複数のＬＥＤを有するＬＥＤ列２３の左側と右側とに配置される。左側駆動回路構造２２１及び右側駆動回路構造２２２は、１つの完全な駆動回路構造２２が分割されて構成されているため、管体２１内に配置される際、伝送線２４を介し、左側駆動回路構造２２１と右側駆動回路構造２２２とを接続しなければ、完全な駆動回路構造２２を形成することができない。
【００１４】
伝送線２４は、ＬＥＤ列２３のＬＥＤ搭載基板２３２上に設けられる。
伝送線２４は、ＬＥＤ搭載基板２３２の任意の側面に配置され、左側駆動回路構造２２１と右側駆動回路構造２２２とを接続するために用いられる。
左側駆動回路構造２２１及び右側駆動回路構造２２２とＬＥＤ列２３とが接続された後、完全な駆動回路構造２２は、ＬＥＤ列２３の発光に必要な電力を供給することができ、左側駆動回路構造２２１及び右側駆動回路構造２２２により両端駆動させてＬＥＤ列２３を発光させる。
【００１５】
また、ＰＣＢ（回路基板）を洗浄する方式により、ＬＥＤ搭載基板２３２の任意の側面に伝送線２４の回路を印刷することができる。
左側駆動回路構造２２１と右側駆動回路構造２２２とが伝送線２４の回路の一方の端部と他方の端部とにそれぞれ接続されると、伝送線２４の回路を介し、左側駆動回路構造２２１と右側駆動回路構造２２２とを接続させ、完全な駆動回路構造２２が形成される。
【００１６】
左側駆動回路構造２２１及び右側駆動回路構造２２２は、完全な駆動回路構造２２が分割されて形成されているため、左側駆動回路構造２２１及び右側駆動回路構造２２２が管体２１内を占有する占有空間を小さくすることができる。
さらに、伝送線２４をＬＥＤ列２３上に跨設しなくとも、左側駆動回路構造２２１と右側駆動回路構造２２２とを接続させることができるため、管体２１の管径を小さくして不要なコストを減らすことができる。
【００１７】
上述したことから分かるように、本考案の直管形ＬＥＤランプ用のＬＥＤ搭載基板の配線構造は、従来技術と比較して以下（１）及び（２）の長所を有する。
（１）ＬＥＤ列の左右両端に設けた駆動回路構造により、協働で１つのＬＥＤ列を駆動させることができる上、ＬＥＤ列に貼設されて配線された伝送線により、ＬＥＤ列の左右両端に設けた駆動回路構造が接続されるため、直管形ＬＥＤランプを小型化することができる。
（２）ＬＥＤ列上に伝送線を跨設させることにより、ＥＭＩが発生することを防ぐことができる上、ＬＥＤ列上に伝送線を跨設させることにより管体の収容空間が増えるため、直管形ＬＥＤランプの製造コストを減らすことができる。
【００１８】
当該分野の技術を熟知するものが理解できるように、本考案の実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１  直管形ＬＥＤランプ
２  直管形ＬＥＤランプ
１１  管体
１２  駆動回路構造
１３  ＬＥＤ列
１４  伝送線
２１  管体
２２  駆動回路構造
２３  ＬＥＤ列
２４  伝送線
１２１  分割された駆動回路構造
１２２  分割された駆動回路構造
１３１  ＬＥＤ
２２１  左側駆動回路構造
２２２  右側駆動回路構造
２３１  ＬＥＤ
２３２  ＬＥＤ搭載基板
【図１】
0003178898.tif 000003
【図２】
0003178898.tif 000004
【図３】
0003178898.tif 000005
【図４】
0003178898.tif 000006